(57)【要約】【課題】複製先ストレージ装置の複数のボリュームから、複製元ストレージ装置内でデータを複製する複製元ボリュームと複製先ボリュームとの組み合わせに対応するボリュームの組み合わせを容易に特定すること。【解決手段】情報処理装置１０１＿ｓ２は、ＯＰＣがストレージ装置１０２＿ｓ１で実行される際にコピー元ボリュームとコピー先ボリュームとの組み合わせ１２１を、ストレージ装置１０２＿ｓ２に送信する。そして、ストレージ装置１０２＿ｓ２は、情報１２２を参照して、ＲＥＣによって複製元および複製先ボリュームのデータをコピーした第３と第４のボリュームとを検索し、第３と第４のボリュームとの組み合わせ１２３を情報処理装置１０１＿ｓ２に送信する。そして、情報処理装置１０１＿ｓ２は、第３のボリュームと第４のボリュームとの組み合わせ１２３を取得する。【選択図】図１Ｂ
2016162261.tif 000002
【特許請求の範囲】
【請求項１】
複製元ストレージ装置の各ボリュームのデータを複製先ストレージ装置の各ボリュームに複製する第１の複製処理によって第１のストレージ装置の各ボリュームのデータが複製される第２のストレージ装置に対してアクセス可能に接続する情報処理装置であって、
同一のストレージ装置のボリュームの間でデータを複製する第２の複製処理が前記第１のストレージ装置で実行される際に複製元となる第１のボリュームと複製先となる第２のボリュームとの組み合わせを示す組み合わせ情報を、前記第２のストレージ装置に送信し、
前記第１のボリュームと前記第２のボリュームとの組み合わせを示す組み合わせ情報を受信した前記第２のストレージ装置から、前記第２のストレージ装置の複数のボリュームのうちの前記第１の複製処理によって前記第１のボリュームのデータを複製したボリュームと前記第１の複製処理によって前記第２のボリュームのデータを複製したボリュームとの組み合わせを示す組み合わせ情報を取得する、
制御部を有することを特徴とする情報処理装置。
【請求項２】
前記制御部は、
前記第１のストレージ装置に対してアクセス可能に接続する他の情報処理装置で実行された仮想マシンが自装置に移行されたことに応じて、前記第１のボリュームと前記第２のボリュームとの組み合わせを示す組み合わせ情報を前記第２のストレージ装置に送信することを特徴とする請求項１に記載の情報処理装置。
【請求項３】
前記制御部は、
前記仮想マシンが移行した後に前記仮想マシンが認識した前記第２のストレージ装置の複数のボリュームの識別情報と、前記仮想マシンが移行する前に前記仮想マシンが認識した複数のボリュームの識別情報とが異なる場合、前記第１のボリュームと前記第２のボリュームとの組み合わせを示す組み合わせ情報を前記第２のストレージ装置に送信することを特徴とする請求項２に記載の情報処理装置。
【請求項４】
複製元ストレージ装置の各ボリュームのデータを複製先ストレージ装置の各ボリュームに複製する第１の複製処理によって第１のストレージ装置の各ボリュームのデータが複製される第２のストレージ装置と、前記第２のストレージ装置に対してアクセス可能に接続する情報処理装置とを有する情報処理システムであって、
前記情報処理装置は、
同一のストレージ装置のボリュームの間でデータを複製する第２の複製処理が前記第１のストレージ装置で実行される際に複製元となる第１のボリュームと複製先となる第２のボリュームとの組み合わせを示す組み合わせ情報を、前記第２のストレージ装置に送信し、
前記第１のボリュームと前記第２のボリュームとの組み合わせを示す組み合わせ情報を受信した前記第２のストレージ装置から、前記第２のストレージ装置の複数のボリュームのうちの前記第１の複製処理によって前記第１のボリュームのデータを複製したボリュームと前記第１の複製処理によって前記第２のボリュームのデータを複製したボリュームとの組み合わせを示す組み合わせ情報を取得し、
前記第２のストレージ装置は、
前記第１のボリュームと前記第２のボリュームとの組み合わせを示す組み合わせ情報を受信した場合、前記第１のストレージ装置の各ボリュームと前記各ボリュームのデータを前記第１の複製処理によって複製した前記第２のストレージ装置の各ボリュームとの組み合わせを示す情報を参照して、前記第２のストレージ装置の複数のボリュームのうちの前記第１の複製処理によって前記第１のボリュームのデータを複製した第３のボリュームと前記第１の複製処理によって前記第２のボリュームのデータを複製した第４のボリュームとを検索し、
検索した前記第３のボリュームと前記第４のボリュームとの組み合わせを示す組み合わせ情報を前記情報処理装置に送信する、
ことを特徴とする情報処理システム。
【請求項５】
複製元ストレージ装置の各ボリュームのデータを複製先ストレージ装置の各ボリュームに複製する第１の複製処理によって第１のストレージ装置の各ボリュームのデータが複製される第２のストレージ装置に対してアクセス可能に接続するコンピュータに、
同一のストレージ装置のボリュームの間でデータを複製する第２の複製処理が前記第１のストレージ装置で実行される際に複製元となる第１のボリュームと複製先となる第２のボリュームとの組み合わせを示す組み合わせ情報を、前記第２のストレージ装置に送信し、
前記第１のボリュームと前記第２のボリュームとの組み合わせを示す組み合わせ情報を受信した前記第２のストレージ装置から、前記第２のストレージ装置の複数のボリュームのうちの前記第１の複製処理によって前記第１のボリュームのデータを複製したボリュームと前記第１の複製処理によって前記第２のボリュームのデータを複製したボリュームとの組み合わせを示す組み合わせ情報を取得する、
処理を実行させることを特徴とする制御プログラム。
【発明の詳細な説明】
【技術分野】
【０００１】
本発明は、情報処理装置、情報処理システム、および制御プログラムに関する。
【背景技術】
【０００２】
従来、運用側サイトのストレージ装置の各ボリュームのデータを災害対策サイトのストレージ装置に複製するＲＥＣ（Ｒｅｍｏｔｅ  Ｅｑｕｉｖａｌｅｎｔ  Ｃｏｐｙ）を実行しておき、運用側サイトが被災した際に、災害対策サイトを用いてサービスの運用を行う技術がある。また、ストレージ装置内の複製元ボリュームから複製先ボリュームにデータをコピーするＯＰＣ（Ｏｎｅ  Ｐｏｉｎｔ  Ｃｏｐｙ）を行う技術がある。ここで、災害対策サイトがサービスの運用を行う際に、運用側サイトがＯＰＣを行う設定になっていれば、災害対策サイトもＯＰＣを引き継いで行うことになる。
【０００３】
関連する先行技術として、例えば、物理ポートか、または物理ポートに接続されたリンクで障害が生じた場合に、物理ポート上で作成された仮想ポートと物理ポートとの間の関連を転送するものがある。また、正論理ボリュームの障害の際に、移行元サーバのバーチャルマシンを移行先サーバに移行し、移行元サーバと正論理ボリューム間のＩ／Ｏ（Ｉｎｐｕｔ／Ｏｕｔｐｕｔ）パスから移行先サーバと副論理ボリューム間の別のＩ／Ｏパスに変更する技術がある。
【先行技術文献】
【特許文献】
【０００４】
【特許文献１】特開２００９−０２６２９５号公報
【特許文献２】特開２０１４−０４９１１６号公報
【発明の概要】
【発明が解決しようとする課題】
【０００５】
しかしながら、従来技術によれば、災害対策サイトでＯＰＣを引き継ぐ際に、災害対策サイトのストレージ装置の複数のボリュームから、運用側サイトのＯＰＣの複製元ボリュームと複製先ボリュームに対応するボリュームの組み合わせを特定することが困難である。具体的には、災害対策サイトの管理者が、ＲＥＣの設定内容と、運用側サイト側のＯＰＣの設定内容とを調査して、調査した２つの設定内容を照らし合わせて、災害対策サイト側のＯＰＣの設定内容を特定しなければならず、手間がかかる。
【０００６】
１つの側面では、本発明は、複製先ストレージ装置の複数のボリュームから、複製元ストレージ装置内でデータを複製する複製元ボリュームと複製先ボリュームとの組み合わせに対応するボリュームの組み合わせを容易に特定することができる情報処理装置、情報処理システム、および制御プログラムを提供することを目的とする。
【課題を解決するための手段】
【０００７】
本発明の一側面によれば、複製元ストレージ装置の各ボリュームのデータを複製先ストレージ装置の各ボリュームに複製する第１の複製処理によって第１のストレージ装置の各ボリュームのデータが複製される第２のストレージ装置に対してアクセス可能に接続する情報処理装置であって、同一のストレージ装置のボリュームの間でデータを複製する第２の複製処理が第１のストレージ装置で実行される際に複製元となる第１のボリュームと複製先となる第２のボリュームとの組み合わせを示す組み合わせ情報を、第２のストレージ装置に送信し、第１のボリュームと第２のボリュームとの組み合わせを示す組み合わせ情報を受信した第２のストレージ装置から、第２のストレージ装置の複数のボリュームのうちの第１の複製処理によって第１のボリュームのデータを複製したボリュームと第１の複製処理によって第２のボリュームのデータを複製したボリュームとの組み合わせを示す組み合わせ情報を取得する情報処理装置、および制御プログラムが提案される。
【０００８】
また、本発明の一側面によれば、複製元ストレージ装置の各ボリュームのデータを複製先ストレージ装置の各ボリュームに複製する第１の複製処理によって第１のストレージ装置の各ボリュームのデータが複製される第２のストレージ装置と、第２のストレージ装置に対してアクセス可能に接続する情報処理装置とを有する情報処理システムであって、情報処理装置は、同一のストレージ装置のボリュームの間でデータを複製する第２の複製処理が第１のストレージ装置で実行される際に複製元となる第１のボリュームと複製先となる第２のボリュームとの組み合わせを示す組み合わせ情報を、第２のストレージ装置に送信し、第１のボリュームと第２のボリュームとの組み合わせを示す組み合わせ情報を受信した第２のストレージ装置から、第２のストレージ装置の複数のボリュームのうちの第１の複製処理によって第１のボリュームのデータを複製したボリュームと第１の複製処理によって第２のボリュームのデータを複製したボリュームとの組み合わせを示す組み合わせ情報を取得し、第２のストレージ装置は、第１のボリュームと第２のボリュームとの組み合わせを示す組み合わせ情報を受信した場合、第１のストレージ装置の各ボリュームと各ボリュームのデータを第１の複製処理によって複製した第２のストレージ装置の各ボリュームとの組み合わせを示す情報を参照して、第２のストレージ装置の複数のボリュームのうちの第１の複製処理によって第１のボリュームのデータを複製した第３のボリュームと第１の複製処理によって第２のボリュームのデータを複製した第４のボリュームとを検索し、検索した第３のボリュームと第４のボリュームとの組み合わせを示す組み合わせ情報を情報処理装置に送信する情報処理システムが提案される。
【発明の効果】
【０００９】
本発明の一態様によれば、複製先ストレージ装置の複数のボリュームから、複製元ストレージ装置内でデータを複製する複製元ボリュームと複製先ボリュームとの組み合わせに対応するボリュームの組み合わせを容易に特定することができるという効果を奏する。
【図面の簡単な説明】
【００１０】
【図１Ａ】図１Ａは、本実施の形態にかかる情報処理システム１００の動作例を示す説明図（その１）である。
【図１Ｂ】図１Ｂは、本実施の形態にかかる情報処理システム１００の動作例を示す説明図（その２）である。
【図２】図２は、情報処理装置１０１＿ｓ２のハードウェア構成例を示すブロック図である。
【図３】図３は、ストレージ装置１０２＿ｓ１、ｓ２のハードウェア構成例を示すブロック図である。
【図４】図４は、情報処理装置１０１＿ｓ２の機能構成例を示すブロック図である。
【図５】図５は、ストレージ装置１０２＿ｓ２の機能構成例を示すブロック図である。
【図６】図６は、コピー設定情報５１０の記憶内容の一例を示す説明図である。
【図７】図７は、コピーペア情報４１０の変換の一例を示す説明図である。
【図８】図８は、サイト切り替え後におけるコピーペア情報変換処理手順の一例を示すフローチャートである。
【図９】図９は、ＬＵＮ変換処理手順の一例を示すフローチャートである。
【発明を実施するための形態】
【００１１】
以下に図面を参照して、開示の情報処理装置、情報処理システム、および制御プログラムの実施の形態を詳細に説明する。
【００１２】
図１Ａは、本実施の形態にかかる情報処理システム１００の動作例を示す説明図（その１）である。また、図１Ｂは、本実施の形態にかかる情報処理システム１００の動作例を示す説明図（その２）である。情報処理システム１００は、運用側サイトｓ１と、運用側サイトｓ１の災害対策となる災害対策サイトｓ２とを含むシステムである。運用側サイトｓ１と災害対策サイトｓ２とは、ＷＡＮ（Ｗｉｄｅ  Ａｒｅａ  Ｎｅｔｗｏｒｋ）といったネットワーク１０３で接続される。ここで、サイトとは、情報を提供するサーバ等の集合である。
【００１３】
運用側サイトｓ１は、業務サービスを提供するサイトである。災害対策サイトｓ２は、運用側サイトｓ１が被災した際に、運用側サイトｓ１に代わって業務サービスを提供するサイトである。従って、災害対策サイトｓ２は、運用側サイトｓ１と同一の災害に遭わないように、運用側サイトｓ１から遠隔地に設置されることが好ましい。
【００１４】
運用側サイトｓ１は、情報処理装置１０１＿ｓ１と、第１のストレージ装置としてストレージ装置１０２＿ｓ１とを有する。また、災害対策サイトｓ２は、情報処理装置１０１＿ｓ２と、第２のストレージ装置としてストレージ装置１０２＿ｓ２とを有する。以下、「ｓ１」が付与された符号は、運用側サイトｓ１に関する符号であることを示す。また、「ｓ２」が付与された符号は、災害対策サイトｓ２に関する符号であることを示す。
【００１５】
図１Ａでは、通常運用時についての情報処理システム１００の動作を示す。また、図１Ｂでは、運用側サイトｓ１において災害発生した時についての情報処理システム１００の動作を示す。
【００１６】
ストレージ装置１０２＿ｓ１、ｓ２は、それぞれ、複数のボリュームを有する。そして、複数のボリュームの各々のボリュームには、ＬＵＮ（Ｌｏｇｉｃａｌ  Ｕｎｉｔ  Ｎｕｍｂｅｒ）が付与される。以下、説明の簡略化のため、ＬＵＮ＃ｘが付与されたボリュームを、単に「ＬＵＮ＃ｘ」と記載する。ｘは、０以上の整数である。また、図１Ａ〜図９では、ＬＵＮを省略して、単に「＃ｘ」と表示する場合がある。
【００１７】
図１Ａ、図１Ｂの例で示すストレージ装置１０２＿ｓ１は、ＬＵＮ＃０〜２を有する。また、図１Ａ、図１Ｂの例で示すストレージ装置１０２＿ｓ２は、ＬＵＮ＃１０〜１２を有する。
【００１８】
情報処理装置１０１＿ｓ１、ｓ２は、それぞれ、ストレージ装置１０２＿ｓ１、ｓ２を制御するコンピュータである。具体的には、情報処理装置１０１＿ｓ１は、ストレージ装置１０２＿ｓ１に対してアクセス可能に接続する。同様に、情報処理装置１０１＿ｓ２は、ストレージ装置１０２＿ｓ２に対してアクセス可能に接続する。情報処理装置１０１＿ｓ２は、例えば、サーバである。そして、情報処理装置１０１＿ｓ１は、サーバ仮想化環境を実現するソフトウェアにより、仮想マシンをサーバとして扱った仮想サーバｖ１＿ｓ１、ｖ２を実現する。また、情報処理装置１０１＿ｓ２は、サーバ仮想化環境を実現するソフトウェアにより、仮想マシンをサーバとして扱った仮想サーバｖ１＿ｓ２を実現する。また、仮想化環境を実現する方法として、ハイパーバイザー型とホスト型とがあるが、本実施の形態では、どちらの方法を採用してもよい。図１Ａ、図１Ｂでは、仮想サーバを、点線で示す。仮想マシンは、コンピュータの動作を模倣するソフトウェアである。
【００１９】
そして、仮想サーバｖ１＿ｓ１、ｓ２は、それぞれ、災害対策を行うソフトウェアである災害対策ソフト１１１＿ｓ１、ｓ２と、コピーを制御するソフトウェアであるコピー制御ソフト１１２＿ｓ１、ｓ２を実行する。通常運用時では、災害対策ソフト１１１＿ｓ２、コピー制御ソフト１１２＿ｓ２は待機状態である。
【００２０】
仮想サーバｖ２は、業務サービスを実行するサーバである。また、図１Ａ、図１Ｂには示していないが、情報処理装置１０１＿ｓ１、ｓ２は、それぞれ、サーバ仮想化環境を運用、管理するソフトウェアを搭載した仮想サーバも実行する。
【００２１】
災害対策ソフト１１１は、コピー制御ソフト１１２を経由して、複製元ストレージ装置の各ボリュームのデータを複製先ストレージ装置の各ボリュームに複製する第１の複製処理の実行を、複製元ストレージ装置と複製先ストレージ装置とに指示する。図１Ａの例では、第１の複製処理により、ストレージ装置１０２＿ｓ１は、ＬＵＮ＃０のデータをＬＵＮ＃１０にコピーし、ＬＵＮ＃１のデータをＬＵＮ＃１１にコピーし、ＬＵＮ＃２のデータをＬＵＮ＃１２にコピーする。また、災害対策ソフト１１１＿ｓ２は、運用側サイトｓ１が被災した際に、仮想サーバｖ２に移行することにより、業務サービスを行うサイトを災害対策サイトｓ２に切り替える。仮想サーバｖ２を移行することにより、情報処理システム１００は、運用側サイトｓ１が被災したとしても、同じデータを有する災害対策サイトｓ２が、仮想サーバｖ２を実行することにより、業務サービスを続行することができる。
【００２２】
コピー制御ソフト１１２は、あるストレージ装置のボリュームの間でデータを複製する第２の複製処理を、あるストレージ装置に指示する。図１Ａの例では、仮想サーバｖ２が行う業務サービスの一つとして、ＯＰＣにより、ストレージ装置１０２＿ｓ１は、第１のボリュームとなるＬＵＮ＃１のデータを、第２のボリュームとなるＬＵＮ＃２にコピーする。コピー制御ソフト１１２＿ｓ１を実行することにより、運用側サイトｓ１は、バックアップの運用を管理することができる。以下、第１の複製処理を、ＲＥＣと呼称する。また、第２の複製処理を、ＯＰＣと呼称する。さらに、以下の記載では、用語の統一のため、複製を、コピーと称する。
【００２３】
そして、運用側サイトｓ１において災害が発生した後、情報処理装置１０１＿ｓ２上のコピー制御ソフト１１２＿ｓ２は、通常運用時と同様に、ＯＰＣを引き継いで実行しようとする。
【００２４】
ここで、ＯＰＣの設定内容を、運用側サイトｓ１側のものから、災害対策サイトｓ２側のものに変換することになる。しかしながら、災害対策サイトｓ２でＯＰＣを引き継ぐ際に、ストレージ装置１０１＿ｓ２の複数のボリュームから、運用側サイトｓ１のＯＰＣの複製元ボリュームと複製先ボリュームに対応するボリュームの組み合わせを特定することが困難である。具体的には、災害対策サイトｓ２の管理者が、ＲＥＣの設定内容と、運用側サイトｓ１側のＯＰＣの設定内容とを調査して、調査した２つの設定内容を照らし合わせて、災害対策サイトｓ２側のＯＰＣの設定内容を特定しなければならず手間がかかる。また、運用側サイトｓ１側のＯＰＣの設定内容に含まれるボリュームの組み合わせの数が増加するにつれて管理者にかかる手間が増大する。
【００２５】
そこで、情報処理装置１０１＿ｓ２は、ストレージ装置１０２＿ｓ２に、ストレージ装置１０２＿ｓ１内のＯＰＣのコピー元とコピー先とのボリュームの組み合わせを送信し、組み合わせに対応するストレージ装置１０２＿ｓ２のボリュームの組み合わせを取得する。ここで、組み合わせは２つのボリュームの組み合わせを示す情報である。これにより、情報処理装置１０１＿ｓ２は、ＲＥＣの設定内容を活用してストレージ装置１０２＿ｓ２のＯＰＣの設定を容易に特定することができる。
【００２６】
図１Ｂを用いて、情報処理装置１０１＿ｓ２の動作を説明する。図１Ｂの（１）で示すように、情報処理装置１０１＿ｓ２は、ＯＰＣがストレージ装置１０２＿ｓ１で実行される際にコピー元ボリュームとコピー先ボリュームとの組み合わせ１２１を、ストレージ装置１０２＿ｓ２に送信する。組み合わせ１２１が、ストレージ装置１０２＿ｓ１のＯＰＣの設定となる。ここで、運用側サイトｓ１が被災した時点で、ストレージ装置１０２＿ｓ１がＯＰＣを何度か実行した状態でもよいし、一度も実行していなくてもよい。ストレージ装置１０２＿ｓ１がＯＰＣを一度も実行していない場合、ＯＰＣを実行するという設定さえストレージ装置１０２＿ｓ１にあればよい。図１Ｂで示す組み合わせ１２１は、コピー元としてＬＵＮ＃１とコピー先としてＬＵＮ＃２との組み合わせを示す情報である。ここで、組み合わせ１２１は、ＲＥＣにより、ストレージ装置１０２＿ｓ１からコピーされたものを情報処理装置１０１＿ｓ２が取得したものである。
【００２７】
組み合わせ１２１を受信したストレージ装置１０２＿ｓ２は、図１Ｂの（２）で示すように、情報１２２を参照して、ストレージ装置１０２＿ｓ２から、ＲＥＣによって複製元および複製先ボリュームのデータをコピーした第３と第４のボリュームとを検索する。ここで、情報１２２の内容が、ＲＥＣの設定内容となる。具体的には、情報１２２は、ストレージ装置１０２＿ｓ１の各ボリュームと、ストレージ装置１０２＿ｓ１の各ボリュームのデータをＲＥＣによってコピーしたストレージ装置１０２＿ｓ２の各ボリュームとの組み合わせを示すものである。
【００２８】
図１Ｂの例では、情報１２２は、ＬＵＮ＃０のデータをＬＵＮ＃１０にコピーし、ＬＵＮ＃１のデータをＬＵＮ＃１１にコピーし、ＬＵＮ＃２のデータをＬＵＮ＃１２にコピーしたことを示す。そして、ストレージ装置１０２＿ｓ２は、第３のボリュームとして、複製元ボリュームとなるＬＵＮ＃１のデータをコピーしたＬＵＮ＃１１を検出する。また、ストレージ装置１０２＿ｓ２は、第４のボリュームとして、複製先ボリュームとなるＬＵＮ＃２のデータをコピーしたＬＵＮ＃１２を検出する。
【００２９】
次に、ストレージ装置１０２＿ｓ２は、第３のボリュームと第４のボリュームとの組み合わせ１２３を情報処理装置１０１＿ｓ２に送信する。図１Ｂの例では、ストレージ装置１０２＿ｓ２は、検出したＬＵＮ＃１１とＬＵＮ＃１２との組み合わせ１２３を、情報処理装置１０１＿ｓ２に送信する。
【００３０】
そして、情報処理装置１０１＿ｓ２は、図１Ｂの（３）で示すように、第３のボリュームと第４のボリュームとの組み合わせ１２３を取得する。組み合わせ１２３が、ストレージ装置１０２＿ｓ２のＯＰＣの設定となる。これにより、情報処理装置１０１＿ｓ２は、コピー制御ソフト１１２＿ｓ２によりＯＰＣを実行する際に、人手の介入なく、ＯＰＣの設定を運用側サイトｓ１から引き継ぐことができる。次に、図２、図３を用いて、情報処理装置１０１＿ｓ２、ストレージ装置１０２＿ｓ２のハードウェアについて説明する。
【００３１】
図２は、情報処理装置１０１＿ｓ２のハードウェア構成例を示すブロック図である。情報処理装置１０１＿ｓ１、ｓ２は、同一のハードウェアを有する。図２では、情報処理装置１０１＿ｓ２のハードウェアを説明し、情報処理装置１０１＿ｓ１のハードウェアの説明を省略する。図２において、情報処理装置１０１＿ｓ２は、ＣＰＵ（Ｃｅｎｔｒａｌ  Ｐｒｏｃｅｓｓｉｎｇ  Ｕｎｉｔ）２０１＿ｓ２と、ＲＯＭ（Ｒｅａｄ  Ｏｎｌｙ  Ｍｅｍｏｒｙ）２０２＿ｓ２と、ＲＡＭ（Ｒａｎｄｏｍ  Ａｃｃｅｓｓ  Ｍｅｍｏｒｙ）２０３＿ｓ２と、を含む。また、情報処理装置１０１＿ｓ２は、ディスクドライブ２０４＿ｓ２およびディスク２０５＿ｓ２と、通信インターフェース２０６＿ｓ２と、を含む。また、ＣＰＵ２０１＿ｓ２〜ディスクドライブ２０４＿ｓ２、通信インターフェース２０６＿ｓ２はバス２０７＿ｓ２によってそれぞれ接続される。
【００３２】
ＣＰＵ２０１＿ｓ２は、情報処理装置１０１＿ｓ２の全体の制御を司る演算処理装置である。また、管理ノードは、複数のＣＰＵを有してもよい。ＲＯＭ２０２＿ｓ２は、ブートプログラムなどのプログラムを記憶する不揮発性メモリである。ＲＡＭ２０３＿ｓ２は、ＣＰＵ２０１＿ｓ２のワークエリアとして使用される揮発性メモリである。
【００３３】
ディスクドライブ２０４＿ｓ２は、ＣＰＵ２０１＿ｓ２の制御に従ってディスク２０５＿ｓ２に対するデータのリードおよびライトを制御する制御装置である。ディスクドライブ２０４＿ｓ２には、例えば、磁気ディスクドライブ、光ディスクドライブ、ソリッドステートドライブなどを採用することができる。ディスク２０５＿ｓ２は、ディスクドライブ２０４＿ｓ２の制御で書き込まれたデータを記憶する不揮発性メモリである。
【００３４】
例えばディスクドライブ２０４＿ｓ２が磁気ディスクドライブである場合、ディスク２０５＿ｓ２には、磁気ディスクを採用することができる。また、ディスクドライブ２０４＿ｓ２が光ディスクドライブである場合、ディスク２０５＿ｓ２には、光ディスクを採用することができる。また、ディスクドライブ２０４＿ｓ２がソリッドステートドライブである場合、ディスク２０５＿ｓ２には、半導体素子によって形成された半導体メモリ、いわゆる半導体ディスクを採用することができる。
【００３５】
通信インターフェース２０６＿ｓ２は、ネットワークと内部のインターフェースを司り、他の装置からのデータの入出力を制御する制御装置である。具体的に、通信インターフェース２０６＿ｓ２は、通信回線を通じてネットワークを介して他の装置に接続される。通信インターフェース２０６＿ｓ２には、例えば、モデムやＬＡＮ（Ｌｏｃａｌ  Ａｒｅａ  Ｎｅｔｗｏｒｋ）アダプタなどを採用することができる。
【００３６】
また、情報処理システム１００の管理者が、情報処理装置１０１＿ｓ２を直接操作する場合、情報処理装置１０１＿ｓ２は、ディスプレイ、キーボード、マウスといったハードウェアを有してもよい。
【００３７】
図３は、ストレージ装置１０２＿ｓ１、ｓ２のハードウェア構成例を示すブロック図である。ストレージ装置１０２＿ｓ１、ｓ２は、同一のハードウェアを有する。図３では、ストレージ装置１０２＿ｓ２のハードウェアを説明し、ストレージ装置１０２＿ｓ１のハードウェアの説明を省略する。ストレージ装置１０２＿ｓ２は、ＣＭ（Ｃｏｎｔｒｏｌｌｅｒ  Ｍｏｄｕｌｅ）３０１＿ｓ２と、複数のボリューム３０２＿ｓ２とを有する。
【００３８】
ＣＭ３０１＿ｓ２は、ＣＰＵ３１１＿ｓ２と、メモリ３１２＿ｓ２と、ＣＡ（Ｃｈａｎｎｅｌ  Ａｄａｐｔｅｒ）３１３＿ｓ２と、ＲＡ（Ｒｅｍｏｔｅ  Ａｄａｐｔｅｒ）３１４＿ｓ２と、ＦＣ（Ｆｉｂｒｅ  Ｃｈａｎｎｅｌ）３１５＿ｓ２とを有する。
【００３９】
ＣＭ３０１＿ｓ２は、ストレージ装置１０２＿ｓ２の全体を制御する装置である。具体的には、ＣＭ３０１＿ｓ２は、複数のボリューム３０２＿ｓ２と、メモリ３１２＿ｓ２と、ＣＡ３１３＿ｓ２等の資源管理や、ＯＰＣやＲＥＣのコピー制御を行う。
【００４０】
ＣＰＵ３１１＿ｓ２は、ストレージ装置１０２＿ｓ２の全体の制御を司る演算処理装置である。メモリ３１２＿ｓ２は、ブートプログラムなどのプログラムを記憶する不揮発メモリや、ＣＰＵ３１１＿ｓ２のワークエリアとなる揮発メモリである。
【００４１】
ＣＡ３１３＿ｓ２は、情報処理装置１０１＿ｓ２とのインターフェースを司る制御装置である。ＲＡ３１４は、ストレージ装置１０２＿ｓ１とストレージ装置１０２＿ｓ２とをリモート接続する制御装置である。ＦＣ３１５＿ｓ２は、複数のボリューム３０２＿ｓ２とのインターフェースを司る制御装置である。
【００４２】
（情報処理装置１０１＿ｓ２の機能構成例）
図４は、情報処理装置１０１＿ｓ２の機能構成例を示すブロック図である。情報処理装置１０１＿ｓ２は、制御部４００を有する。制御部４００は、送信部４０１と、取得部４０２とを含む。制御部４００は、記憶装置に記憶されたプログラムをＣＰＵ２０１＿ｓ２が実行することにより、各部の機能を実現する。記憶装置とは、具体的には、例えば、図２に示したＲＯＭ２０２＿ｓ２、ＲＡＭ２０３＿ｓ２、ディスク２０５＿ｓ２や、ストレージ装置１０２＿ｓ２のボリュームなどである。また、各部の処理結果は、ＣＰＵ２０１＿ｓ２のレジスタや、ＣＰＵ２０１＿ｓ２のキャッシュメモリ、ＲＡＭ２０３＿ｓ２等に格納される。また、図４では、制御部４００は、情報処理装置１０１＿ｓ２が有する機能であるように示したが、情報処理装置１０１＿ｓ１が有してもよい。
【００４３】
また、情報処理装置１０１＿ｓ２は、コピーペア情報４１０にアクセス可能である。コピーペア情報４１０は、図１Ｂに示した組み合わせ１２１に相当する。さらに、コピーペア情報４１０は、コピーの対象となるストレージ装置１０２の識別情報が含まれてもよい。コピーペア情報４１０の具体例は、図７で示す。
【００４４】
送信部４０１は、コピーペア情報４１０をストレージ装置１０２＿ｓ２に送信する。送信する契機としては、例えば、情報処理システム１００の管理者による操作により業務サービスを行うサイトを災害対策サイトｓ２に切り替えられた場合に、送信部４０１は、コピーペア情報４１０をストレージ装置１０２＿ｓ２に送信する。
【００４５】
また、送信部４０１は、他の情報処理装置として情報処理装置１０１＿ｓ１で実行された仮想サーバｖ２が自装置として情報処理装置１０１＿ｓ２に移行されたことに応じて、コピーペア情報４１０をストレージ装置１０２＿ｓ２に送信してもよい。例えば、情報処理装置１０１＿ｓ２は、情報処理装置１０１＿ｓ１上の仮想サーバｖ２が動作しているかを監視しておく。そして、情報処理装置１０１＿ｓ２は、情報処理装置１０１＿ｓ１上の仮想サーバｖ２が災害等によりシャットダウンしたことを検出する。そして、ＲＥＣによりコピーされたデータを用いて情報処理装置１０１＿ｓ２上で仮想サーバｖ２を再起動させた際に送信部４０１は、仮想サーバｖ２が移行されたとして、コピーペア情報４１０をストレージ装置１０２＿ｓ２に送信する。
【００４６】
また、送信部４０１は、仮想サーバｖ２が移行した後に仮想サーバｖ２が認識したストレージ装置１０２＿ｓ２の複数のボリュームの識別情報と、仮想サーバｖ２が移行する前に仮想マシンが認識した複数のボリュームの識別情報とが異なるかを判断する。ここで、仮想サーバｖ２が移行する前に仮想マシンが認識した複数のボリュームの識別情報は、ＲＥＣにより、ストレージ装置１０２＿ｓ１からコピーされたものを情報処理装置１０１＿ｓ２が取得したものである。そして、仮想サーバｖ２の移行前後で認識したボリュームの識別情報が異なると判断した場合、送信部４０１は、コピーペア情報４１０をストレージ装置１０２＿ｓ２に送信してもよい。
【００４７】
例えば、図１Ｂの例を用いると、仮想サーバｖ２が移行した後に仮想サーバｖ２が認識したストレージ装置１０２＿ｓ２の複数のボリュームの識別情報は、ストレージ装置１０２＿ｓ２の各ボリュームのＬＵＮであり、＃１０〜１２となる。そして、仮想サーバｖ２が移行する前に仮想サーバｖ２が認識した複数のボリュームの識別情報は、ストレージ装置１０２＿ｓ１の各ボリュームのＬＵＮであり、＃０〜２となる。従って、仮想マシンの移行前後で認識したボリュームの識別情報が異なるため、送信部４０１は、コピーペア情報４１０をストレージ装置１０２＿ｓ２に送信する。
【００４８】
取得部４０２は、コピーペア情報４１０を受信したストレージ装置１０２＿ｓ２から、変換後のコピーペア情報４１０を取得する。具体的なコピーペア情報４１０の変換例については、図７で示す。
【００４９】
（ストレージ装置１０２＿ｓ２の機能構成例）
図５は、ストレージ装置１０２＿ｓ２の機能構成例を示すブロック図である。ストレージ装置１０２＿ｓ２は、制御部５００を有する。制御部５００は、検索部５０１と、送信部５０２とを含む。制御部５００は、記憶装置に記憶されたプログラムをＣＰＵ２０１が実行することにより、各部の機能を実現する。記憶装置とは、具体的には、例えば、図３に示したメモリ３１２＿ｓ２、ボリューム３０２＿ｓ２などである。また、各部の処理結果は、ＣＰＵ３１１＿ｓ２のレジスタや、ＣＰＵ３１１＿ｓ２のキャッシュメモリ、メモリ３１２＿ｓ２等に格納される。また、図５では、制御部５００は、ストレージ装置１０２＿ｓ２が有する機能であるように示したが、ストレージ装置１０２＿ｓ１が有してもよい。
【００５０】
また、ストレージ装置１０２＿ｓ２は、コピー設定情報５１０にアクセス可能である。コピー設定情報５１０は、図１Ｂに示した情報１２２に相当する。コピー設定情報５１０の記憶内容の一例は、図６で示す。
【００５１】
検索部５０１は、コピーペア情報４１０を受信した場合、コピー設定情報５１０を参照して、ストレージ装置１０２＿ｓ２の複数のボリュームのうちのＲＥＣによって第１のボリュームのデータを複製した第３のボリュームを検索する。さらに、検索部５０１は、ストレージ装置１０２＿ｓ２の複数のボリュームのうちのＲＥＣによって第２のボリュームのデータを複製した第４のボリュームとを検索する。
【００５２】
送信部５０２は、検索部５０１によって検索して検出した第３のボリュームと第４のボリュームとの組み合わせとなる変換後のコピーペア情報４１０を情報処理装置１０１＿ｓ２に送信する。さらに、送信部５０２は、変換後のコピーペア情報４１０に、コピー対象のストレージ装置として、ストレージ装置１０２＿ｓ２の識別情報を含めてもよい。
【００５３】
図６は、コピー設定情報５１０の記憶内容の一例を示す説明図である。図６に示すコピー設定情報５１０は、レコード６０１−１〜３を有する。コピー設定情報５１０は、セッションＩＤ（ＩＤｅｎｔｉｆｉｅｒ）と、セッション種別と、コピー元ＬＵＮと、コピー先ＬＵＮと、コピー元装置識別子と、コピー先装置識別子というフィールドを含む。
【００５４】
セッションＩＤフィールドには、セッションを識別する識別情報が格納される。セッション種別フィールドには、セッションの種別を示す識別情報が格納される。コピー元ＬＵＮフィールドには、コピー元となるボリュームの識別番号が格納される。コピー先ＬＵＮフィールドには、コピー先となるボリュームの識別番号が格納される。コピー元装置識別子フィールドには、コピー元となるボリュームが属するストレージ装置の識別情報が格納される。コピー先装置識別子フィールドには、コピー先となるボリュームが属するストレージ装置の識別情報が格納される。
【００５５】
例えば、レコード６０１−１は、コピー元装置がストレージ装置１０２＿ｓ１であり、ＲＥＣコピー元ＬＵＮがＬＵＮ＃０であり、コピー先装置がストレージ装置１０２＿ｓ２であり、ＲＥＣコピー先ＬＵＮがＬＵＮ＃１０であることを示す。
【００５６】
図７は、コピーペア情報４１０の変換の一例を示す説明図である。災害対策ソフト１１１＿ｓ２を実行する情報処理装置１０１＿ｓ２は、コピーペア情報４１０の各フィールド値を入力値としたものを含むコピー設定情報照会指示をストレージ装置１０２＿ｓ２に送信する。図７で示すコピーペア情報４１０＿１は、コピー対象装置がストレージ装置１０２＿ｓ１であり、ＯＰＣコピー元がＬＵＮ＃１であり、ＯＰＣコピー先がＬＵＮ＃２であることを示す。そして、情報処理装置１０１＿ｓ２は、ストレージ装置１０２＿ｓ１と、ＯＰＣコピー元のＬＵＮ＃１と、ＯＰＣコピー先のＬＵＮ＃２とのそれぞれの識別情報を含むコピー設定情報照会指示をストレージ装置１０２＿ｓ２に送信する。
【００５７】
コピー設定情報照会指示を受信したストレージ装置１０２＿ｓ２は、コピー設定情報５１０を参照して、ＬＵＮ変換処理を行う。具体的には、ストレージ装置１０２＿ｓ２は、コピー設定情報５１０から、コピー設定情報照会指示に含まれるＯＰＣコピー元と同一の値のＲＥＣコピー元ＬＵＮを有するＲＥＣセッションを検索する。さらに、ストレージ装置１０２＿ｓ２は、コピー設定情報５１０から、コピー設定情報照会指示に含まれるＯＰＣコピー先と同一の値のＲＥＣコピー元ＬＵＮを有するＲＥＣセッションを検索する。
【００５８】
図６で示したコピー設定情報５１０を用いると、ストレージ装置１０２＿ｓ２は、ＯＰＣコピー元と同一の値のＲＥＣコピー元ＬＵＮを有するＲＥＣセッションとして、レコード６０１−２を検出する。同様に、ストレージ装置１０２＿ｓ２は、ＯＰＣコピー先と同一の値のＲＥＣコピー元ＬＵＮを有するＲＥＣセッションとして、レコード６０１−３を検出する。
【００５９】
そして、ストレージ装置１０２＿ｓ２は、検出したＲＥＣセッションのコピー先装置識別子とＲＥＣコピー先ＬＵＮとを示すコピー設定情報照会応答を情報処理装置１０１＿ｓ２に送信する。前述した例を用いると、ストレージ装置１０２＿ｓ２は、検出したＲＥＣセッションのコピー先装置識別子を、レコード６０１−２、３のコピー先装置識別子であるストレージ装置１０２＿ｓ２にする。さらに、ストレージ装置１０２＿ｓ２は、ＲＥＣコピー先ＬＵＮを、レコード６０１−２のＲＥＣコピー先ＬＵＮとなるＬＵＮ＃１１と、レコード６０１−３のＲＥＣコピー先ＬＵＮとなるＬＵＮ＃１２とにする。
【００６０】
コピー設定情報照会応答を取得した情報処理装置１０１＿ｓ２は、取得したコピー設定情報照会応答を用いて、コピーペア情報４１０を変換する。図７で示す変換後のコピーペア情報４１０＿２は、コピー対象装置がストレージ装置１０２＿ｓ２であり、ＯＰＣコピー元がＬＵＮ＃１１であり、ＯＰＣコピー先がＬＵＮ＃１２であることを示す。
【００６１】
次に、図８を用いて情報処理装置１０１＿ｓ２が実行するコピーペア情報変換処理のフローチャートを説明するとともに、図９を用いてストレージ装置１０２＿ｓ２が実行するＬＵＮ変換処理のフローチャートを説明する。
【００６２】
図８は、サイト切り替え後におけるコピーペア情報変換処理手順の一例を示すフローチャートである。サイト切り替え後におけるコピーペア情報変換処理は、コピーペア情報４１０を変換する処理である。
【００６３】
情報処理装置１０１＿ｓ２は、災害対策ソフト１１１＿ｓ２によるサイト切り替えによって仮想サーバｖ２を再起動する（ステップＳ８０１）。次に、情報処理装置１０１＿ｓ２は、コピー制御ソフト１１２＿ｓ２によって、デバイスを再認識する（ステップＳ８０２）。そして、情報処理装置１０１＿ｓ２は、コピー制御ソフト１１２＿ｓ２によって、前回起動時に保持していたコピーペア情報４１０を参照する（ステップＳ８０３）。次に、情報処理装置１０１＿ｓ２は、コピー制御ソフト１１２＿ｓ２によって、コピーペア情報４１０のデバイスが変更していたか否かを判断する（ステップＳ８０４）。
【００６４】
ここで、ステップＳ８０４の判定方法は、図４で記載したように、仮想サーバｖ２が移行した後に仮想サーバｖ２が認識した複数のボリュームの識別情報と、仮想サーバｖ２が移行する前に仮想マシンが認識した複数のボリュームの識別情報とが異なるか否かとなる。移行前後の識別情報が異なる場合、情報処理装置１０１＿ｓ２は、コピーペア情報４１０のデバイスが変更したものと判断する。また、移行前後の識別情報が一致する場合、情報処理装置１０１＿ｓ２は、コピーペア情報４１０のデバイスが変更していないと判断する。
【００６５】
コピーペア情報４１０のデバイスが変更していた場合（ステップＳ８０４：Ｙｅｓ）、情報処理装置１０１＿ｓ２は、コピー制御ソフト１１２＿ｓ２によって、災害対策サイトｓ２のストレージ装置１０２＿ｓ２に対して、コピー設定情報照会指示を送信する（ステップＳ８０５）。コピー設定情報照会指示を受信したストレージ装置１０２＿ｓ２は、図９に示すＬＵＮ変換処理を実行する。
【００６６】
次に、情報処理装置１０１＿ｓ２は、災害対策サイトｓ２のストレージ装置１０２＿ｓ２から、コピー設定情報照会応答を取得する（ステップＳ８０６）。そして、情報処理装置１０１＿ｓ２は、コピー制御ソフト１１２＿ｓ２によって、コピー設定情報照会応答を用いて、コピーペア情報４１０を、災害対策サイトｓ２のストレージ装置１０２＿ｓ２のボリュームを指すものに再構築する（ステップＳ８０７）。
【００６７】
ステップＳ８０７の処理終了後、または、コピーペア情報４１０のデバイスが変更していない場合（ステップＳ８０４：Ｎｏ）、情報処理装置１０１＿ｓ２は、サイト切り替え後におけるコピーペア情報変換処理を終了する。サイト切り替え後におけるコピーペア情報変換処理を実行することにより、情報処理装置１０１＿ｓ２は、サイト切り替え後に、コピーペア情報４１０を災害対策サイトｓ２の環境のものに変換することができる。
【００６８】
図９は、ＬＵＮ変換処理手順の一例を示すフローチャートである。ＬＵＮ変換処理は、ＬＵＮを変換する処理である。ストレージ装置１０２＿ｓ２は、コピー設定情報照会指示を受信する（ステップＳ９０１）。次に、ストレージ装置１０２＿ｓ２は、コピー設定情報５１０から、コピー設定情報照会指示に含まれるＯＰＣコピー元と同一の値のＲＥＣコピー元ＬＵＮを有するＲＥＣセッションを検索する（ステップＳ９０２）。また、ストレージ装置１０２＿ｓ２は、コピー設定情報５１０から、コピー設定情報照会指示に含まれるＯＰＣコピー先と同一の値のＲＥＣコピー元ＬＵＮを有するＲＥＣセッションを検索する（ステップＳ９０３）。
【００６９】
次に、ストレージ装置１０２＿ｓ２は、ステップＳ９０２、ステップＳ９０３の処理で検索したそれぞれのＲＥＣセッションを検出したか否かを判断する（ステップＳ９０４）。それぞれのＲＥＣセッションを検出した場合（ステップＳ９０４：Ｙｅｓ）、ストレージ装置１０２＿ｓ２は、検出したＲＥＣセッションのコピー先装置識別子とＲＥＣコピー先ＬＵＮとを含むコピー設定情報照会応答を指示送信元に送信する（ステップＳ９０５）。一方、それぞれのＲＥＣセッションを検出していない場合（ステップＳ９０４：Ｎｏ）、ストレージ装置１０２＿ｓ２は、該当ＬＵ（Ｌｏｇｉｃａｌ  Ｕｎｉｔ）なしの旨を示すコピー設定情報照会応答を指示送信元に送信する（ステップＳ９０６）。
【００７０】
ステップＳ９０５、ステップＳ９０６のうちのいずれかの処理終了後、ストレージ装置１０２＿ｓ２は、ＬＵＮ変換処理を終了する。ＬＵＮ変換処理を実行することにより、ストレージ装置１０２＿ｓ２は、ストレージ装置１０２＿ｓ１のＬＵＮを、ストレージ装置１０２＿ｓ２の対応するＬＵＮに変換することができる。
【００７１】
以上説明したように、情報処理装置１０１＿ｓ２によれば、ストレージ装置１０２＿ｓ２に、ストレージ装置１０２＿ｓ１のＯＰＣの設定となるコピーペア情報４１０を送り、ストレージ装置１０２＿ｓ２のＯＰＣの設定となるコピーペア情報４１０を得る。これにより、情報処理装置１０１＿ｓ２は、ＲＥＣの設定内容を活用してストレージ装置１０２＿ｓ２のＯＰＣの設定を特定できる。また、情報処理装置１０１＿ｓ２は、災害対策サイトｓ２の管理者の人手による設定を行わずに、コピーペア情報４１０を運用側サイトｓ１から災害対策サイトｓ２に切り替えることができる。
【００７２】
また、情報処理装置１０１＿ｓ２は、情報処理装置１０１＿ｓ１で実行された仮想マシンが情報処理装置１０１＿ｓ２に移行されたことに応じて、コピーペア情報４１０をストレージ装置１０２＿ｓ２に送信してもよい。これにより、情報処理装置１０１＿ｓ２は、災害を検出したことに応じてコピーペア情報４１０を、運用側サイトｓ１から災害対策サイトｓ２に切り替えることができ、災害対策サイトｓ２内でのＯＰＣの実行をいち早く行えるようにすることができる。
【００７３】
また、情報処理装置１０１＿ｓ２は、仮想マシンの移行前後で認識したボリュームの識別情報が異なる場合に、コピーペア情報４１０をストレージ装置１０２＿ｓ２に送信してもよい。従って、情報処理装置１０１＿ｓ２は、運用側サイトｓ１と災害対策サイトｓ２とでＬＵＮの識別情報が一致しており、コピーペア情報４１０を変換しなくてよい場合には、コピーペア情報４１０をストレージ装置１０２＿ｓ２に送信しない。これにより、情報処理装置１０１＿ｓ２は、災害対策サイトｓ２にかかる負荷を抑制することができる。
【００７４】
また、本実施の形態では、運用側サイトｓ１と災害対策サイトｓ２とを含む情報処理システム１００について説明したが、これに限らない。例えば、運用側サイトｓ１と、運用側サイトｓ１の動作を検証する検証用サイトとを含む情報処理システムについて、本実施の形態を適用してもよい。そして、検証用サイトの情報処理装置は、情報処理装置１０１＿ｓ２が実行する制御方法を実行することにより、検証用サイトの情報処理装置は、検証用サイトのＯＰＣの設定を検証用サイトの管理者の手間をかけずに設定することができる。
【００７５】
なお、本実施の形態で説明した情報処理装置１０１＿ｓ２が実行する制御方法は、予め用意されたプログラムをパーソナル・コンピュータやワークステーション等のコンピュータで実行することにより実現することができる。本制御プログラムは、ハードディスク、フレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）等のコンピュータで読み取り可能な記録媒体に記録され、コンピュータによって記録媒体から読み出されることによって実行される。また本制御プログラムは、インターネット等のネットワークを介して配布してもよい。
【００７６】
上述した実施の形態に関し、さらに以下の付記を開示する。
【００７７】
（付記１）複製元ストレージ装置の各ボリュームのデータを複製先ストレージ装置の各ボリュームに複製する第１の複製処理によって第１のストレージ装置の各ボリュームのデータが複製される第２のストレージ装置に対してアクセス可能に接続する情報処理装置であって、
同一のストレージ装置のボリュームの間でデータを複製する第２の複製処理が前記第１のストレージ装置で実行される際に複製元となる第１のボリュームと複製先となる第２のボリュームとの組み合わせを示す組み合わせ情報を、前記第２のストレージ装置に送信し、
前記第１のボリュームと前記第２のボリュームとの組み合わせを示す組み合わせ情報を受信した前記第２のストレージ装置から、前記第２のストレージ装置の複数のボリュームのうちの前記第１の複製処理によって前記第１のボリュームのデータを複製したボリュームと前記第１の複製処理によって前記第２のボリュームのデータを複製したボリュームとの組み合わせを示す組み合わせ情報を取得する、
制御部を有することを特徴とする情報処理装置。
【００７８】
（付記２）前記制御部は、
前記第１のストレージ装置に対してアクセス可能に接続する他の情報処理装置で実行された仮想マシンが自装置に移行されたことに応じて、前記第１のボリュームと前記第２のボリュームとの組み合わせを示す組み合わせ情報を前記第２のストレージ装置に送信することを特徴とする付記１に記載の情報処理装置。
【００７９】
（付記３）前記制御部は、
前記仮想マシンが移行した後に前記仮想マシンが認識した前記第２のストレージ装置の複数のボリュームの識別情報と、前記仮想マシンが移行する前に前記仮想マシンが認識した複数のボリュームの識別情報とが異なる場合、前記第１のボリュームと前記第２のボリュームとの組み合わせを示す組み合わせ情報を前記第２のストレージ装置に送信することを特徴とする付記２に記載の情報処理装置。
【００８０】
（付記４）複製元ストレージ装置の各ボリュームのデータを複製先ストレージ装置の各ボリュームに複製する第１の複製処理によって第１のストレージ装置の各ボリュームのデータが複製される第２のストレージ装置と、前記第２のストレージ装置に対してアクセス可能に接続する情報処理装置とを有する情報処理システムであって、
前記情報処理装置は、
同一のストレージ装置のボリュームの間でデータを複製する第２の複製処理が前記第１のストレージ装置で実行される際に複製元となる第１のボリュームと複製先となる第２のボリュームとの組み合わせを示す組み合わせ情報を、前記第２のストレージ装置に送信し、
前記第１のボリュームと前記第２のボリュームとの組み合わせを示す組み合わせ情報を受信した前記第２のストレージ装置から、前記第２のストレージ装置の複数のボリュームのうちの前記第１の複製処理によって前記第１のボリュームのデータを複製したボリュームと前記第１の複製処理によって前記第２のボリュームのデータを複製したボリュームとの組み合わせを示す組み合わせ情報を取得し、
前記第２のストレージ装置は、
前記第１のボリュームと前記第２のボリュームとの組み合わせを示す組み合わせ情報を受信した場合、前記第１のストレージ装置の各ボリュームと前記各ボリュームのデータを前記第１の複製処理によって複製した前記第２のストレージ装置の各ボリュームとの組み合わせを示す情報を参照して、前記第２のストレージ装置の複数のボリュームのうちの前記第１の複製処理によって前記第１のボリュームのデータを複製した第３のボリュームと前記第１の複製処理によって前記第２のボリュームのデータを複製した第４のボリュームとを検索し、
検索した前記第３のボリュームと前記第４のボリュームとの組み合わせを示す組み合わせ情報を前記情報処理装置に送信する、
ことを特徴とする情報処理システム。
【００８１】
（付記５）複製元ストレージ装置の各ボリュームのデータを複製先ストレージ装置の各ボリュームに複製する第１の複製処理によって第１のストレージ装置の各ボリュームのデータが複製される第２のストレージ装置であって、
前記第２のストレージ装置に対してアクセス可能に接続する情報処理装置から、同一のストレージ装置のボリュームの間でデータを複製する第２の複製処理が前記第１のストレージ装置で実行される際に複製元となる第１のボリュームと複製先となる第２のボリュームとの組み合わせを示す組み合わせ情報を受信した場合、前記第１のストレージ装置の各ボリュームと前記各ボリュームのデータを前記第１の複製処理によって複製した前記第２のストレージ装置の各ボリュームとの組み合わせを示す情報を参照して、前記第２のストレージ装置の複数のボリュームのうちの前記第１の複製処理によって前記第１のボリュームのデータを複製した第３のボリュームと前記第１の複製処理によって前記第２のボリュームのデータを複製した第４のボリュームとを検索し、
検索した前記第３のボリュームと前記第４のボリュームとの組み合わせを示す組み合わせ情報を前記情報処理装置に送信する、
制御部を有することを特徴とするストレージ装置。
【００８２】
（付記６）複製元ストレージ装置の各ボリュームのデータを複製先ストレージ装置の各ボリュームに複製する第１の複製処理によって第１のストレージ装置の各ボリュームのデータが複製される第２のストレージ装置に対してアクセス可能に接続するコンピュータに、
同一のストレージ装置のボリュームの間でデータを複製する第２の複製処理が前記第１のストレージ装置で実行される際に複製元となる第１のボリュームと複製先となる第２のボリュームとの組み合わせを示す組み合わせ情報を、前記第２のストレージ装置に送信し、
前記第１のボリュームと前記第２のボリュームとの組み合わせを示す組み合わせ情報を受信した前記第２のストレージ装置から、前記第２のストレージ装置の複数のボリュームのうちの前記第１の複製処理によって前記第１のボリュームのデータを複製したボリュームと前記第１の複製処理によって前記第２のボリュームのデータを複製したボリュームとの組み合わせを示す組み合わせ情報を取得する、
処理を実行させることを特徴とする制御プログラム。
【００８３】
（付記７）複製元ストレージ装置の各ボリュームのデータを複製先ストレージ装置の各ボリュームに複製する第１の複製処理によって第１のストレージ装置の各ボリュームのデータが複製される第２のストレージ装置に、
前記第２のストレージ装置に対してアクセス可能に接続する情報処理装置から、同一のストレージ装置のボリュームの間でデータを複製する第２の複製処理が前記第１のストレージ装置で実行される際に複製元となる第１のボリュームと複製先となる第２のボリュームとの組み合わせを示す組み合わせ情報を受信した場合、前記第１のストレージ装置の各ボリュームと前記各ボリュームのデータを前記第１の複製処理によって複製した前記第２のストレージ装置の各ボリュームとの組み合わせを示す情報を参照して、前記第２のストレージ装置の複数のボリュームのうちの前記第１の複製処理によって前記第１のボリュームのデータを複製した第３のボリュームと前記第１の複製処理によって前記第２のボリュームのデータを複製した第４のボリュームとを検索し、
検索した前記第３のボリュームと前記第４のボリュームとの組み合わせを示す組み合わせ情報を前記情報処理装置に送信する、
処理を実行させることを特徴とする制御プログラム。
【００８４】
（付記８）複製元ストレージ装置の各ボリュームのデータを複製先ストレージ装置の各ボリュームに複製する第１の複製処理によって第１のストレージ装置の各ボリュームのデータが複製される第２のストレージ装置に接続するコンピュータが、
同一のストレージ装置のボリュームの間でデータを複製する第２の複製処理が前記第１のストレージ装置で実行される際に複製元となる第１のボリュームと複製先となる第２のボリュームとの組み合わせを示す組み合わせ情報を、前記第２のストレージ装置に送信し、
前記第１のボリュームと前記第２のボリュームとの組み合わせを示す組み合わせ情報を受信した前記第２のストレージ装置から、前記第２のストレージ装置の複数のボリュームのうちの前記第１の複製処理によって前記第１のボリュームのデータを複製したボリュームと前記第１の複製処理によって前記第２のボリュームのデータを複製したボリュームとの組み合わせを示す組み合わせ情報を取得する、
処理を実行することを特徴とする制御方法。
【００８５】
（付記９）複製元ストレージ装置の各ボリュームのデータを複製先ストレージ装置の各ボリュームに複製する第１の複製処理によって第１のストレージ装置の各ボリュームのデータが複製される第２のストレージ装置が、
前記第２のストレージ装置に対してアクセス可能に接続する情報処理装置から、同一のストレージ装置のボリュームの間でデータを複製する第２の複製処理が前記第１のストレージ装置で実行される際に複製元となる第１のボリュームと複製先となる第２のボリュームとの組み合わせを示す組み合わせ情報を受信した場合、前記第１のストレージ装置の各ボリュームと前記各ボリュームのデータを前記第１の複製処理によって複製した前記第２のストレージ装置の各ボリュームとの組み合わせを示す情報を参照して、前記第２のストレージ装置の複数のボリュームのうちの前記第１の複製処理によって前記第１のボリュームのデータを複製した第３のボリュームと前記第１の複製処理によって前記第２のボリュームのデータを複製した第４のボリュームとを検索し、
検索した前記第３のボリュームと前記第４のボリュームとの組み合わせを示す組み合わせ情報を前記情報処理装置に送信する、
処理を実行することを特徴とする制御方法。
【符号の説明】
【００８６】
ｓ１  運用側サイト
ｓ２  災害対策サイト
１００  情報処理システム
１０１＿ｓ１、ｓ２  情報処理装置
１０２＿ｓ１、ｓ２  ストレージ装置
４００、５００  制御部
４０１、５０２  送信部
４０２  取得部
４１０  コピーペア情報
５０１  検索部
５１０  コピー設定情報
【図１Ａ】
2016162261.tif 000003
【図１Ｂ】
2016162261.tif 000004
【図２】
2016162261.tif 000005
【図３】
2016162261.tif 000006
【図４】
2016162261.tif 000007
【図５】
2016162261.tif 000008
【図６】
2016162261.tif 000009
【図７】
2016162261.tif 000010
【図８】
2016162261.tif 000011
【図９】
2016162261.tif 000012